(57)【要約】  実習用薬液の飛散を、安全、確実に、かつ手間を掛けずに発見することができることで、高い実習効果が得られる注射剤の調製実習用教材およびそれを用いた調製実習方法を提供する。  注射剤の調製実習用教材は医療用薬液の代わりに容器に貯留された実習用薬液を注射器に吸引させて調製作業を実習するためのものであるである。実習用薬液は、混合することで化学発光する蛍光液と酸化液とから形成されている。この蛍光液は蛍光液用容器に貯留されている。酸化液は酸化液用容器に貯留されている。実習者は、蛍光液用容器と酸化液用容器とからそれぞれ発光液をバイアル瓶へ移して混合し、注射器にて吸引して実習を行う。
2011052322.tif 000002
【特許請求の範囲】
【請求項１】
容器に貯留された実習用薬液を注射器に吸引させて調製作業を実習するための注射剤の調製実習用教材であって、
前記実習用薬液は、混合することで化学発光する蛍光液と酸化液とを含むことを特徴とする注射剤の調製実習用教材。
【請求項２】
前記蛍光液は蛍光液用容器に貯留され、前記酸化液は酸化液用容器に貯留され、
前記蛍光液用容器と酸化液用容器とは、前記蛍光液または前記酸化液を構成する成分の液体を、成分ごと、或いは成分を組み合わせて、貯留した１以上の容器である請求項１記載の注射剤の調製実習用教材。
【請求項３】
前記蛍光液と酸化液とを混合させるために、混合用容器が添付されている請求項１または２記載の注射剤の調製実習用教材。
【請求項４】
前記蛍光液と酸化液とは、１：１で混合させるように調製されている請求項１から３のいずれかの項に記載の注射剤の調製実習用教材。
【請求項５】
前記実習用薬液には、前記蛍光液および／または酸化液を希釈する希釈液が含まれている請求項１から４のいずれかの項に記載の注射剤の調製実習用教材。
【請求項６】
医療用薬液の代わりに容器に貯留された実習用薬液を注射器に吸引させて調製作業を実習するための注射剤の調製実習用教材を用いた実習方法であって、
混合することで化学発光する実習用薬液として使用する蛍光液および酸化液を、混合用容器で混合するステップと、
前記混合用容器にて混合された実習用薬液を、注射器で吸引すると共に該注射器内の空気を抜くステップと、
前記実習用薬液の発光を確認して汚染の度合いをチェックするステップとを含むことを特徴とする注射剤の調製実習用教材を用いた調製実習方法。
【発明の詳細な説明】
【技術分野】
【０００１】
本発明は、注射器による医療用薬液の調製作業を、実習用薬液を用いて実習するための注射剤の調製実習用教材およびそれを用いた調製実習方法に関する。
【背景技術】
【０００２】
薬剤師や看護師などの医療従事者にとって、注射器による医療用薬液の正確な調製作業は、薬物汚染リスクの低減を図る上で重要な業務である。
注射器による医療用薬液の調製作業は、まず、注射筒に注射針を装着した注射器に、バイアル瓶やアンプルなどから薬液を吸引し、注射器内の空気を抜き、輸液を入れた容器に注入し、注射針を抜針するという一連の動作で行われる。医療従事者は、確実にこの作業ができるよう繰り返し実習して習得、熟練しておくことが望ましい。【０００３】
このような実習では、不慣れな初心者が注射器を扱うため、例えば、バイアル瓶のセプタムから注射針を抜く際に、霧状の薬液が飛散または液滴が滴下したり、薬液を吸引した注射筒内の空気を抜くために押し出した薬液が飛散したりして、指先や手の甲、腕、顔、衣類などに付着する他、施設内の調剤台や、床、壁、クリーンベンチなどを汚染することがある。
技術向上のためには、薬液がどのような状態で飛散したかを知り、学習することが大事であるが、薬液が無色透明である場合には、飛散した薬液を視認することは非常に難しい。【０００４】
例えば、特許文献１には、紫外線を吸収し蛍光を発するリボフラビンを含有する医薬品を実習用薬液として使用して、紫外線を発光するブラックライトを飛散した実習用薬液に照射することにより飛散した実習用薬液が視認できる実習キットが記載されている。
【先行技術文献】
【特許文献】
【０００５】
【特許文献１】特開２００９−２０５００９号公報
【発明の概要】
【発明が解決しようとする課題】
【０００６】
しかし、特許文献１に記載の実習キットでは、実習用薬液の飛散状態を確認するために、新しい設備としてブラックライトが必要であるため、導入コストが増大する。また、実習用薬液が思いがけない場所に飛散した場合では、ブラックライトで紫外線を照射しないと飛沫が発光しないので、実習者が飛沫に気が付かないことが想定され、広い範囲でブラックライトを手探りのように照射する必要があるため手間である。また、ブラックライトは、安全性への配慮から紫外線の発光エネルギーが低く抑えられていることが予想されるが、発光エネルギーが低く抑えられていても、発光線は紫外線であるため、当然のことながら直視すると危険である。【０００７】
そこで本発明は、実習用薬液の飛散を、安全、確実に、かつ手間を掛けずに発見することができることで、高い実習効果が得られる注射剤の調製実習用教材およびそれを用いた調製実習方法を提供することを目的とする。
【課題を解決するための手段】
【０００８】
本発明の注射剤の調製実習用教材は、容器に貯留された実習用薬液を注射器に吸引させて調製作業を実習するための注射剤の調製実習用教材であって、前記実習用薬液は、混合することで化学発光する蛍光液と酸化液とから形成されていることを特徴とする。【０００９】
本発明の注射剤の調製実習用教材によれば、実習用薬液が混合することで化学発光する蛍光液と酸化液とから形成されていることにより、実習によって飛散した実習用薬液が飛散した場所で紫外線を照射しなくても発光するので、安全、確実に、かつ容易に実習用薬液の飛沫を発見することができる。従って、目に付く場所だけでなく思いも寄らない場所にある飛沫も発見することができる。【００１０】
前記蛍光液は蛍光液用容器に貯留され、前記酸化液は酸化液用容器に貯留され、
前記蛍光液用容器と酸化液用容器とは、前記蛍光液または前記酸化液を構成する成分の液体を、成分ごと、或いは成分を組み合わせて、貯留した１以上の容器であるのが望ましい。蛍光液と酸化液とが、蛍光液用容器と酸化液用容器とに貯留されていれば、実習中に混合させることができるので、使用したいときにすぐに発光させることができる。また、蛍光液用容器と酸化液用容器とを、成分ごとに容器を分けたり、成分の組み合わせにより１つの容器としたり複数の容器としたりすることで、予め混合された状態では発光時間が短くなるような組み合わせを回避したり、最大輝度が低下するような組み合わせを回避したりすることができる。【００１１】
前記蛍光液と酸化液とを混合させるために、混合用容器が添付されているのが望ましい。混合用容器が添付されていれば、新たな混合用容器を準備しなくてもよい。混合容器が、医療現場で使用されるバイアル瓶、アンプル、バッグ、ボトルであれば、実際の医療用薬液と同じような手順で実習することができる。【００１２】
前記蛍光液と酸化液とは、１：１で混合させるように調製されていれば、蛍光液と酸化液との混合に微調整が不要であり、目分量で容易に混合させることができるので、発光液を素早く混合させることができる。【００１３】
更に、前記実習用薬液には、前記蛍光液および／または酸化液を希釈する希釈液が含まれているのが望ましい。蛍光液および酸化液に、希釈液を混合して粘性を低下させることで、医療用薬液に近い粘性に抑えることができるので、調製作業の実習をより実際の作業に近い状態で行うことができる。【００１４】
また、本発明の注射剤の調製実習用教材を用いた調製実習方法は、医療用薬液の代わりに容器に貯留された実習用薬液を注射器に吸引させて調製作業を実習するための注射剤の調製実習用教材を用いた実習方法であって、混合することで化学発光する実習用薬液として使用する蛍光液および酸化液を、混合用容器で混合するステップと、前記混合用容器にて混合された実習用薬液を、注射器で吸引すると共に該注射器内の空気を抜くステップと、前記実習用薬液の発光を確認して汚染の度合いをチェックするステップとを含むことを特徴とする。
このように実習を行うことで、飛散した実習用薬液が飛散した場所で紫外線を照射しなくても発光するので、確実に、かつ容易に実習用薬液の飛散を発見することができる。
【発明の効果】
【００１５】
本発明の構成によれは、実習によって飛散した実習用薬液が飛散した場所で紫外線を照射しなくても発光するので、確実に、かつ手間を掛けずに実習用薬液の飛沫を発見することができる。従って、目に付く場所だけでなく思いも寄らない場所にある飛沫も発見することができるので、高い実習効果を得ることができる。
【図面の簡単な説明】
【００１６】
【図１】本発明の実施の形態１に係る調製実習用教材を示す図である。
【図２】図１に示す調製実習用教材の実習用薬液の発光特性を示すグラフである。
【図３】本発明の実施の形態２に係る調製実習用教材を示す図である。
【図４】（Ａ）〜（Ｈ）は、実施の形態２に係る調製実習用教材を用いた調製実習方法の各ステップを説明するための図である。
【符号の説明】
【００１７】
１，１ｘ  注射剤の調製実習用教材
２１  蛍光液用容器
２２  酸化液用容器
２３  希釈液用容器
２ａ  容器本体
２ｂ  蓋体
３  バイアル瓶
３１  セプタム
３２  蓋体
３３  瓶体
３４  ゴム栓
４  注射器
４１  注射針
４２  注射筒
４２ａ  内筒
４２ｂ  外筒
５  吸収シート
６  別の注射剤容器
【発明を実施するための形態】
【００１８】
（実施の形態１）
本発明の実施の形態１に係る注射剤の調製実習用教材を、図面に基づいて説明する。
図１に示す注射剤の調製実習用教材１は、医療用薬液の代わりに容器に貯留された実習用薬液を注射器に吸引させて調製作業を実習するためのものである。以下、注射剤の調製実習用教材を、単に調製実習用教材と称す。
【００１９】
この実習用薬液は、蛍光液用容器２１に蛍光液が貯留され、酸化液用容器２２に酸化液が貯留されている。調製実習用教材１としては、蛍光液と酸化液、これらを混合するバイアル瓶３が混合用容器として添付されている。注射器４は、学校施設や医療施設のものを使用する。
【００２０】
蛍光液用容器２１と酸化液用容器２２とは、同じ形状のものとすることができ、それぞれ有底の円筒状の容器本体２ａと、容器本体２ａの頭部に螺合する蓋体２ｂとから構成される。本実施の形態１では、蛍光液用容器２１と酸化液用容器２２とにそれぞれ約５０ｍＬの発光液が実習用薬液として貯留されている。
【００２１】
ここで、実習用薬液について、詳細に説明する。
この実習用薬液は、従来から知られた蛍光液と酸化液が使用できる。蛍光液は、シュウ酸エステル、蛍光物質および溶媒を含有し、過酸化水素を含有する酸化液と混合した際に化学発光現象を生じるものである。
【００２２】
本発明で使用されるシュウ酸エステル（オキサレート）としては、シュウ酸ハライド、シュウ酸エステル、シュウ酸オキサミド等のシュウ酸誘導体が使用でき、代表的なオキサレートとしては、例えば、ビス（２，４，５−トリクロロ−６−カルボブトキシフェニルオキザレート）、ビス（２，４，５−トリクロロ−６−カルボペントキシフェニルオキザレート）等が挙げられる。
【００２３】
蛍光物質としては、３００〜１２００ｎｍにスペクトル発光を有し、且つ、溶媒に少なくとも部分的に可溶な蛍光化合物であれば特に制限はない。これらの蛍光化合物としては、アントラセン、置換アントラセン、ベンゾアントラセン、フェナントレン、置換フェナントレン、ナフタセン、置換ナフタセン、ペンタセン、置換ペンタセン、ペリレン、置換ペリレン、ビオラントロン、置換ビオラントロンなどの縮合環を有する共役多環芳香族化合物が例示される。上記化合物の置換基としては、発光反応を妨げない限りにおいて特に制限はなく、フェニル基、低級アルキル基、クロロ基、ブロモ基、シアノ基、アルコキシ基、フェニルナフチル基などが例示される。
【００２４】
具体的な蛍光物質としては、２−クロロ-９，１０−ビス（４−メチルエチニル）アントラセン、９，１０−ビス（フェニルエチニル）アントラセン、１−メトキシ−９，１０−ビス（フェニルエチニル）アントラセン、ペリレン、１，５−ジクロロ−９，１０−ビス（フェニルエチニル）アントラセン、１，８−ジクロロ−９，１０−ビス（フェニルエチニル）アントラセン、モノクロロおよびジクロロ置換９，１０−ビス（フェニルエチニル）アントラセン、５，１２−ビス（フェニルエチニル）テトラセン、９，１０−ジフェニルアントラセン、１６，１７−ジヘキシルオキシビオラントロン、２−メチル−９，１０−ビス−（フェニルエチニル）アントラセン、９，１０−ビス−（４−メトキシフェニル）−２−クロロアントラセン、９，１０−ビス−（４−エトキシフェニル）−２−クロロアントラセン、５，１２−ビス−（フェニルエチニル）ナフタセン、５，６，１１，１２−テトラフェニルナフタセン（ルブレン）およびこれらの混合物が例示される。
【００２５】
これらの蛍光物質の製品としては、例えば、ルモゲン・レッド（ＬＵＭＯＧＥＮ  ＲＥＤ、赤色を発するペリレンジカルボキシイミド蛍光剤、ＢＡＳＦ社、商品名）、ルモゲン・イエロー（ＬＵＭＯＧＥＮ  ＹＥＬＬＯＷ、黄色を発するペリレンジカルボキシイミド蛍光剤、ＢＡＳＦ社、商品名）、ルモゲン・オレンジ（ＬＵＭＯＧＥＮ  ＯＲＡＮＧＥ、オレンジ色を発するペリレンジカルボキシイミド蛍光剤、ＢＡＳＦ社、商品名）が好適に使用される。
【００２６】
本発明の蛍光液において、溶媒としては、一般にアセチルクエン酸トリブチル（ＡＴＢＣ）、安息香酸ベンジル（ＢｅＢ）、ジブチルヒドロキシトルエン（ＤＢＰＣ），ジプロピレングリコールジメチルエーテル（ＤＭＭ）等が単独であるいは混合して使用される。
【００２７】
蛍光液における各成分の組成割合は、任意に選択することができる。一般に、シュウ酸エステルと蛍光物質の量比（モル比）は、化学発光を生じるのに十分な量とされるが、好ましくは２０：１〜４０：１である。溶媒とシュウ酸エステルとの量比も使用する目的により適宜選択することができるが、通常、シュウ酸エステルの濃度が０．０１〜０．５モル／リットル、好ましくは０．０５〜０．３モル／リットルとなる量の溶媒を使用する。
【００２８】
本発明の化学発光体用酸化液は、シュウ酸エステルおよび蛍光物質を含有する化学発光体用蛍光液と混合した際に化学発光現象を生じる。即ち、本発明の酸化液は、上記の蛍光液と組合せて化学発光システムを構成する。
酸化液としては、フタル酸ジメチル、クエン酸トリエチルなどを主な溶媒とし、これにt-ブタノール、過酸化水素水、サリチル酸塩、エタノールから選ばれた１種、または複数種を混合したものを使用することができる。
なお、酸化液、蛍光液には、必要に応じ界面活性剤等の添加剤を本発明の本質を損なわない範囲で加えることができる。
【００２９】
本実施の形態１では、実習用薬液の発光色を、赤色や青色より視認性が高い黄色としているが、発光色を黄色とする以外に、赤色や紫色など適宜変更が可能である。複数の実習者が同時に実習するときに、実習用薬液の発光色を変えた調製実習用教材１を準備しておくと、床上に飛散した飛沫について、誰が飛散させたかの特定が容易である。
【００３０】
実習用薬液は、蛍光液と酸化液との混合比を適宜設定することができる。本実施の形態１では、蛍光液と酸化液とを１：１で混合するように調製されている。実習用薬液は、少なくとも実習を行っている間は発光し続けるのが望ましい。また、最大輝度がある程度早く表れるのが望ましい。例えば、図２に示すように実習用薬液は、混合して実習を開始する程度の時間（例えば５〜１０分後）に最大輝度となり、実習が一通り終了する時間（例えば６０分後）まで発光が持続するように調製されている（図２においては実線で示す）。このように調製された実習用薬液は、蛍光液と酸化液とが１：１以外の比率で混合されたときには最大輝度が低下したり、発光の持続時間が減少したりするようになる（図２においては点線で示す）。
また、実習用薬液は、小さい飛沫でも所定時間、視認できるように調製されているのが望ましい。本実施の形態１では、手袋上で１０μＬの飛沫が３０分の間で視認可能なように調製されている。
【００３１】
この調製実習用教材１には、蛍光液用容器２１と酸化液用容器２２との他に、実習用薬液の２液を混合させるための混合用容器として、バイアル瓶３が添付されている。バイアル瓶３は、セプタム３１付きの蓋体３２と、蓋体３２を頭部に螺合させるガラス製の瓶体３３とにより形成されたものである。
【００３２】
以上のように構成された本発明の実施の形態１に係る調製実習用教材１を用いた実習方法について、図面に基づいて説明する。
【００３３】
実習は、以下のような順序で行われる。
（１）実習用薬液の混合
（２）注射針の注射器への装着
（３）注射針の穿刺とバイアル瓶からの薬液の吸引と注射針の抜針
（４）注射器からの空気抜き
（５）注射針の穿刺と別の注射剤容器への薬液の吐出と注射針の抜針
（６）注射針の廃棄
（７）実習用薬液の飛散状態の確認
この順序に従って説明する。
【００３４】
（１）実習用薬液の混合
実習者は、蛍光液用容器２１の蓋体２ｂを開き、一方の発光液である蛍光液を、バイアル瓶３へ約５ｍＬほど移す。次に、酸化液用容器２２の蓋体２ｂを開き、他方の発光液である酸化液を、同様にしてバイアル瓶３へ約５ｍＬほど移す。実習用薬液は蛍光液と酸化液とを１：１で混合させるように調製されているので、蛍光液と酸化液との混合に微調整が不要であり、目分量で容易に混合させることができる。従って、蛍光液と酸化液とを素早く混合させることができる。従って、限られた実習時間を有効に使うことができる。バイアル瓶３の瓶体３３の中で混合された実習用薬液は化学発光を始める。実習者は瓶体３３に蓋体３２を付けて準備が完了する。
【００３５】
（２）注射針の注射器への装着
実習者は注射針４１を注射筒４２へ装着する。その作業の際には、まだ注射針４１と注射筒４２のいずれも薬液に触れていないため、この段階では薬液による汚染の心配はない。注意点としては、針刺し事故である。
【００３６】
（３）注射針の穿刺とバイアル瓶３からの薬液の吸引と注射針の抜針
次に、実習者は、一方の手でバイアル瓶３の瓶体３３を持ち、他方の手で注射器４を持ちながら、注射針４１をセプタム３１に穿刺した後、バイアル瓶３および注射器４を倒立させて内筒４２ａを引くことで、注射筒４２に実習用薬液を吸引する。その後、実習者は、注射針４１をセプタム３１から抜針する。このとき、実習用薬液が付着した状態にある注射針４１をバイアル瓶３から引き抜くため、周囲に実習用薬液が霧状に飛散する可能性がある。特に、蓋体３２により閉鎖されたバイアル瓶３では、内外での圧力の差が生じやすく、この圧力差によって周囲の床面や蓋体３２に汚染が発生しやすくなる。また、少し注射針が撓んだ状態でセプタム３１に穿刺されていると、注射針４１が抜針したときに撓みが戻り、注射針４１内の実習用薬液が先端から飛散することがある。この場合には、バイアル瓶３を持つ手に実習用薬液が付着することがある。注射針４１の抜針を行う際には、内筒４２ａを引いて注射筒４２内を負圧にしておくことが重要である。また、注射針４１を真っ直ぐ引き抜くことが重要である。
【００３７】
（４）注射器からの空気抜き
実習者が実習用薬液を注射器４に吸引した際に、実習用薬液が注射器４内に回収されるが、空気も注射器４内に混入することが多い。この空気が微量の場合は問題ないが、多い場合には針先を上方へ向け、注射器４内の空気を抜く必要がある。この際、過って実習者が実習用薬液も注射器４外に吐出してしまうことがあり、注射器４の外筒４２ｂや注射器４を持つ手の甲に実習用薬液が付着することがある。これも汚染の原因となる。注射針４１にサックを被せて空気抜きを行うことで防止を図る。
【００３８】
（５）注射針の穿刺と別の注射剤容器への薬液の吐出と注射針の抜針
次に、実習者は、注射針４１を別の注射剤容器に穿刺し、注射器４内の実習用薬液を注入し、そして注射剤容器から注射針を抜針する。注射剤容器としては、例えば、他のバイアル瓶、アンプル、バッグ、ボトルなどのいずれか一つとしたり、複数を組み合わせたりして使用することができる。実習用薬液の飛散が、吸引時か、元に戻した時かが判りにくくなってもよければ、実習用薬液を吸引した同じバイアル瓶３へ戻してもよい。
【００３９】
バイアル瓶３から実習用薬液を注射器４に吸引し、注射剤容器に注射針４１を穿刺して移すまでの操作の間で、微量の実習用薬液が付着した状態にある注射針４１を、空間的に移動させる必要がある。この移動の際に注射針４１から微滴が滴下する可能性がある。この微滴によっても汚染が起こる可能性がある。また、注射剤容器に注射針４１の穿刺を行う必要があるため、注射針４１の外側に付着した実習用薬液によりセプタムが汚染される危険性がある。更に、注射剤容器に注射針４１を穿刺した後に、抜針を行うが、その際にも、周囲に実習用薬液が霧状に飛散する可能性があり、汚染が起こりやすい。
【００４０】
（６）注射針の廃棄
実習者は、注射器４内の実習用薬液を注射剤容器へ移した後、注射針４１と注射筒４２を廃棄する実習を行う。注射針４１と注射筒４２は分けて廃棄されることが多いが、この分離作業の際には、接合部分近傍にあった実習用薬液が周囲に飛散しやすいので、注射針４１と注射筒４２とを分離せずに廃棄することで防止を図る。
【００４１】
（７）実習用薬液の飛散状態の確認
次に、実習用薬液の飛散状態を確認する。この確認は、（１）〜（６）まで終了した後に行ってもよいが、それぞれの作業後に行ってもよい。
【００４２】
実習用薬液は、紫外線を照射しなくても発光するので、見ただけで実習用薬液の発光の確認ができる。実習室の照明が明るく、実習用薬液の発光が見えにくいときには、照明を暗くしたり滅灯したり、更にブラインドやカーテンで遮光したりすれば、小さな飛沫でも確認が容易である。照度としては２０Ｌｕｘ以下、特に１５Ｌｕｘ以下が望ましい。実習の作業をクリーンベンチ内で行う場合には、クリーンベンチの照明を滅灯して奥側の外側面あるいは手前の外側面を暗幕で覆うことにより、更に小さな飛沫でも確認が可能である。また、暗箱を準備すれば、手をその中に入れるだけで、手に付着した実習用薬液の飛沫の確認ができるので、他の実習者の実習を邪魔することなく確認作業を行うことができる。また、紫外線を照射しなくても発光するので、確実に実習用薬液の飛散を発見することができるので、実習用薬液が思いがけない場所に飛散した場合でも容易に発見することができる。
【００４３】
このように本実施の形態１に係る調製実習用教材１は、化学発光する実習用薬液を使用して飛沫を可視化することで、紫外線を照射しなくても、昼間であればカーテンやブラインドを閉め、照明を滅灯したり減灯したりするだけで、飛散した実習用薬液を視認することができる。また、夕方や夜間であれば、照明を滅灯したり減灯したりするだけで、飛散した実習用薬液を視認することができる。従って、調製実習用教材１は、安全、確実に、かつ手間を掛けずに実習用薬液の飛散を発見することができるので、高い実習効果を得ることができる。
【００４４】
特に、抗がん剤を注射により患者に投与する場合には、薬液が飛散することで医療従事者の被曝が心配される。また、被曝した医療従事者が医療施設内を移動することで、他の医療従事者を被曝させてしまうことも想定される。しかし、調製実習用教材１を用いて、正しい取り扱いについての熟練者を養成すれば、抗がん剤を直接取り扱う医療従事者だけでなく、他の医療従事者の被曝も未然に防ぐことができる。
【００４５】
なお、本実施の形態１では、混合用容器として、バイアル瓶３を用いたが、実習用薬液を混合できるものであれば、他の容器でもよい。例えば、アンプル、バッグ、ボトルとすることも可能である。アンプルを混合用容器とする場合には、実習用薬液を注入した後に頭頂部を溶融したもの、あるいは頭部を折って取り除いたものを使用する。しかし、注射器に薬液を吸引するときに、注射針を穿刺する作業を実習者に行わせることで、より実際と近い作業を行わせることができるので、混合用容器はセプタム３１付きのバイアル瓶３とするのが望ましい。
【００４６】
また、本実施の形態１に係る調製実習用教材１では、蛍光液を１つの蛍光液用容器２１に貯留させ、酸化液を１つの酸化液用容器２２に貯留させているが、容器は、それぞれ成分ごとに貯留したり、成分の組み合わせで貯留したりして複数の容器としてもよい。例えば、蛍光液を、溶媒に対してシュウ酸化合物と蛍光色素の２成分の混合状態とした場合では、全部を一つの蛍光液用容器２１に貯留させること以外に、一方の蛍光液用容器にシュウ酸化合物と溶媒とを貯留させ、他方の蛍光液用容器に蛍光体色素と溶媒を貯留させて２つの蛍光液用容器とすることができる。
【００４７】
また、例えば、酸化液を、溶媒に対して過酸化水素とサリチル酸塩の２成分の混合状態とした場合では、全部を一つの酸化液用容器２２に貯留させること以外に、一方の酸化液用容器に過酸化水素と溶媒とを貯留させ、他方の酸化液用容器にサリチル酸塩と溶媒とを貯留させて２つの酸化液用容器とすることができる。
【００４８】
このように蛍光液や酸化液を構成する成分を、複数の容器に成分ごとに分散させて貯留することで、予め混合された状態では発光時間が短くなるような組み合わせを回避したり、最大輝度が低下するよう組み合わせを回避したりすることができるので、発光時間を長く確保しつつ、発光劣化の抑制を図ることができる。
【００４９】
上記例では、蛍光液と酸化液とが２成分の場合を説明したが、３成分以上でも３成分全部を１つの容器としたり、１成分と２成分とに分け２つの容器としたり、１成分ごとに３つの容器としたりすることができる。
【００５０】
（実施の形態２）
本発明の実施の形態２に係る注射剤の調製実習用教材を、図面に基づいて説明する。なお、図３および図４においては、図１と同じ構成のものは同符号を付して説明を省略する。
実施の形態２では、実習用薬液として、蛍光液および酸化液の他に、希釈液を含むことを特徴とするものである。
【００５１】
かかる希釈液としては、トリアセチン等のグリセリン類やエタノール等のアルコール類を単独あるいは混合して用いることができる。
【００５２】
蛍光液、酸化液に対する希釈液の混合比は、実際の注射液の粘度を想定し適宜設定することができる。一般には、蛍光液：酸化液：希釈液の混合比が、1：1：1〜３のものが使用されるが、本実施の形態２では、蛍光液：酸化液：希釈液が、1：1：２の割合で混合されるように調製されている。
【００５３】
図３に示すように、調製実習用教材１ｘは、蛍光液用容器２１に貯留された蛍光液と、酸化液用容器２２に貯留された酸化液と、希釈液用容器２３に貯留された希釈液と、これらを混合するバイアル瓶３と、バイアル瓶３用のゴム栓３４と、使用済みの液を吸収するための吸収シート５とが、１セットとして構成されている。注射器４（図３では図示せず）は、実施の形態１と同様に、学校施設や医療施設のものを使用する。
【００５４】
蛍光液の内容量は２５ｍＬ、酸化液の内容量は２５ｍＬ、希釈液の内容量は５０ｍＬである。蛍光液と酸化液とは、実施の形態１で説明したものが使用できる。
希釈液については、トリアセチン、エタノールの混合液が好適に使用することができる。
【００５５】
以上のように構成された本発明の実施の形態２に係る調製実習用教材１ｘを用いた実習方法について、図４に基づいて説明する。
まず、図４（Ａ）に示すように、注射器４を用いて蛍光液１ｍＬを蛍光液用容器２１からバイアル瓶３へ移す。
次に、図４（Ｂ）に示すように、同様に、注射器４を用いて酸化液１ｍＬを酸化液用容器２２からバイアル瓶３へ移す。
図４（Ｃ）に示すように、蛍光液と酸化液とを混合させた段階で、発光が開始される。
図４（Ｄ）に示すように、注射器４を用いて希釈液２ｍＬを希釈液用容器２３からバイアル瓶３へ移して、蛍光液と酸化液との混合液の粘度を調整する。本実施の形態２では、蛍光液と酸化液と、および希釈液を１：１：２の割合で混合しているが、１：１：１から１：１：３までの範囲とすることができる。この混合比率は、粘度に応じて変更してもよい。例えば、蛍光液と酸化液と希釈液との混合比が１：１：３でもまだ粘度が高すぎる場合には、１：１：４とすることも可能である。
図４（Ｅ）に示すように、バイアル瓶３のセプタム３１付きの蓋体３２を外して、ゴム栓３４を装着して、蓋体３２を取り付ける。
図４（Ｆ）に示すように、蛍光液、酸化液および希釈液がよく混合するようにバイアル瓶３を振る。
次に、図４（Ｇ）に示すように、バイアル瓶３への注射針の穿刺と、薬液の吸引および注射針の抜針とを行った後に、別の注射剤容器６への注射針の穿刺と、薬液の吐出および注射針の抜針とを行って、実際の調製作業の実習を行う。実習用薬液を注射器４に吸引した際に空気が混入した場合には、必要に応じて針先を上方へ向けて注射器４内の空気を抜く。
そして、図４（Ｈ）に示すように、実習用薬液の飛散状態の確認を行う。
実習後には、使用済みの実習用薬液や余剰の実習用薬液、飛散した実習用薬液などは、吸収シート５（図３参照）に吸収させる。
【００５６】
このように、本実施の形態２に係る注射剤の調製実習用教材１ｘでは、実習用薬液として、蛍光液および酸化液に、希釈液を混合して粘性を低下させている。従って、医療用薬液に近い粘性に抑えることで、調製作業の実習をより実際の作業に近い状態で行うことができる。
【００５７】
なお、本実施の形態２では、バイアル瓶３に、蛍光液、酸化液、希釈液の順に入れているが、この順番に限らず、どの液を先に入れてもよし、粘度調製のために、それぞれの液を複数回に分けて入れてもよい。
また、本実施の形態２に係る調製実習用教材１ｘでは、蛍光液および酸化液と、希釈液とを別々の容器に入れているが、予め、蛍光液および酸化液のいずれか一方、または両方に混合させておいてもよい。しかし、医療用薬液と同じ程度の粘性に近づけるための調製が実習中に行うことができるので、それぞれを別の容器とするのが望ましい。
【産業上の利用可能性】
【００５８】
本発明は、安価に安全を確保することができるので、医療従事者の養成に最適である。
【図１】
2011052322.tif 000003
【図２】
2011052322.tif 000004
【図３】
2011052322.tif 000005
【図４】
2011052322.tif 000006
【国際調査報告】
2011052322.tif 000007
2011052322.tif 000008